(57)【要約】【課題】現在の市販品のＬＥＤドライバＩＣを使用し、発光ダイオードに目的の電流を流す技術を提供する。【解決手段】表示パネルと、発光ダイオード列を有するバックライトと、前記発光ダイオード列を駆動するＬＥＤドライバＩＣとを有し、前記発光ダイオード列は、複数の発光ダイオードで構成され、前記ＬＥＤドライバＩＣは、前記発光ダイオード列を流れ、前記ＬＥＤドライバＩＣに入力される電流が、所定の定電流となるように、前記発光ダイオード列に印加する電圧を制御する表示装置であって、前記ＬＥＤドライバＩＣに入力される基準電流を増幅して前記発光ダイオード列に流す電流増幅部を有し、前記発光ダイオード列には、前記ＬＥＤドライバＩＣに入力される電流と、前記電流増幅部により増幅された電流が流れる。【選択図】図２
2012186350.tif 000002
【特許請求の範囲】
【請求項１】
表示パネルと、
発光ダイオード列を有するバックライトと、
前記発光ダイオード列を駆動するＬＥＤドライバＩＣとを有し、
前記発光ダイオード列は、複数の発光ダイオードで構成され、
前記ＬＥＤドライバＩＣは、前記発光ダイオード列を流れ、前記ＬＥＤドライバＩＣに入力される電流が、所定の定電流となるように、前記発光ダイオード列に印加する電圧を制御する表示装置であって、
前記ＬＥＤドライバＩＣに入力される基準電流を増幅して前記発光ダイオード列に流す電流増幅部を有し、
前記発光ダイオード列には、前記ＬＥＤドライバＩＣに入力される電流と、前記電流増幅部により増幅された電流が流れることを特徴とする表示装置。
【請求項２】
前記ＬＥＤドライバＩＣは、入力電圧を昇圧して前記発光ダイオード列の一端に入力し、
前記電流増幅部は、第１トランジスタと第２トランジスタとを有する第１カレントミラー回路と、
第３トランジスタと第４トランジスタとを有する第２カレントミラー回路とを有し、
前記発光ダイオード列の他端は、前記第４のトランジスタに接続され、
前記発光ダイオード列に流れる電流の一部は、前記ＬＥＤドライバＩＣに入力され、前記発光ダイオード列に流れる電流の残りは、前記第４トランジスタに流れ、
前記第１トランジスタを流れる電流は、前記ＬＥＤドライバＩＣに入力され、
前記第２トランジスタは、前記第１トランジスタに流れる電流に対応した電流を前記第３トランジスタに流し、
前記第４トランジスタには、前記第３トランジスタに流れる電流に対応した電流が流れ、
前記ＬＥＤドライバＩＣは、前記第１トランジスタを介して前記ＬＥＤドライバＩＣに入力される電流と、前記発光ダイオード列を介して前記ＬＥＤドライバＩＣに入力される電流とが、一定の電流となるように、前記発光ダイオード列に印加する電圧を制御することを特徴とする請求項１に記載の表示装置。
【請求項３】
コイルと、
前記コイルに流れる電流をオン・オフするスイッチングトランジスタとを有し、
前記ＬＥＤドライバＩＣは、定電流制御部と、スイッチング部とを有し、
前記スイッチング部は、前記スイッチングトランジスタをオン・オフし、入力電圧を昇圧して前記発光ダイオード列の一端に入力し、
前記電流増幅部は、第１トランジスタと第２トランジスタとを有する第１カレントミラー回路と、
第３トランジスタと第４トランジスタとを有する第２カレントミラー回路とを有し、
前記発光ダイオード列の他端は、前記第４のトランジスタに接続され、
前記発光ダイオード列に流れる電流の一部は、前記定電流制御部に入力され、前記発光ダイオード列に流れる電流の残りは、前記第４トランジスタに流れ、
前記第１トランジスタを流れる電流は、前記定電流制御部に入力され、
前記第２トランジスタは、前記第１トランジスタに流れる電流に対応した電流を前記第３トランジスタに流し、
前記第４トランジスタには、前記第３トランジスタに流れる電流に対応した電流が流れ、
前記スイッチング部は、前記定電流制御部の制御の下に、前記スイッチングトランジスタをオン／オフし、前記発光ダイオード列の一端に入力される電圧を制御し、
前記定電流制御部は、前記第１トランジスタを介して前記定電流制御部に人力される電流と、前記発光ダイオード列を介して前記定電流制御部に入力される電流とが、一定の電流となるように、前記スイッチ部を制御することを特徴とする請求項１に記載の表示装置。
【請求項４】
前記第１カレントミラー回路のミラー比をｍ、第２カレントミラー回路のミラー比をｎ、前記第１トランジスタを流れる電流をＩｏ、前記第４トランジスタに流れる電流をＩとするとき、Ｉ＝ｍ×ｎ×Ｉｏを満足することを特徴とする請求項２又は請求項３に記載の表示装置。
【請求項５】
前記ＬＥＤドライバＩＣは、入力電圧を昇圧して前記発光ダイオード列の一端に入力し、
ｋを１以上の整数とするとき、前記電流増幅部は、第１トランジスタと第２トランジスタとを有する第１カレントミラー回路と、
第３トランジスタと、並列に接続される第４ないし第（４＋ｋ）のトランジスタとを有する第２カレントミラー回路とを有し、
前記発光ダイオード列の他端は、前記第４ないし第（４＋ｋ）のトランジスタに接続され、
前記発光ダイオード列に流れる電流の一部は、前記ＬＥＤドライバＩＣに入力され、前記発光ダイオード列に流れる電流の残りは、前記第４ないし第（４＋ｋ）のトランジスタに流れ、
前記第１トランジスタを流れる電流は、前記ＬＥＤドライバＩＣに入力され、
前記第２トランジスタは、前記第１トランジスタに流れる電流に対応した電流を前記第３トランジスタに流し、
前記第４ないし第（４＋ｎ）のトランジスタには、前記第３トランジスタに流れる電流に対応した電流が流れ、
前記ＬＥＤドライバＩＣは、前記第１トランジスタを介して前記ＬＥＤドライバＩＣに人力される電流と、前記発光ダイオード列を介して前記ＬＥＤドライバＩＣに入力される電流とが、一定の電流となるように、前記発光ダイオード列に印加する電圧を制御することを特徴とする請求項１に記載の表示装置。
【請求項６】
コイルと、
前記コイルに流れる電流をオン・オフするスイッチングトランジスタとを有し、
前記ＬＥＤドライバＩＣは、定電流制御部と、スイッチング部とを有し、
前記スイッチング部は、前記スイッチングトランジスタをオン・オフし、入力電圧を昇圧して前記発光ダイオード列の一端に入力し、
ｋを１以上の整数とするとき、前記電流増幅部は、第１トランジスタと第２トランジスタとを有する第１カレントミラー回路と、
第３トランジスタと、並列に接続される第４ないし第（４＋ｋ）のトランジスタとを有する第２カレントミラー回路とを有し、
前記発光ダイオード列の他端は、前記第４ないし第（４＋ｋ）のトランジスタに接続され、
前記発光ダイオード列に流れる電流の一部は、前記定電流制御部に入力され、前記発光ダイオード列に流れる電流の残りは、前記第４ないし第（４＋ｋ）のトランジスタに流れ、
前記第１トランジスタを流れる電流は、前記定電流制御部に入力され、
前記第２トランジスタは、前記第１トランジスタに流れる電流に対応した電流を前記第３トランジスタに流し、
前記第４ないし第（４＋ｎ）のトランジスタには、前記第３トランジスタに流れる電流に対応した電流が流れ、
前記スイッチング部は、前記定電流制御部の制御の下に、前記スイッチングトランジスタをオン／オフし、前記出力端子から出力される電圧を制御し、
前記定電流制御部は、前記第１トランジスタを介して前記定電流制御部に人力される電流と、前記発光ダイオード列を介して前記定電流制御部に入力される電流とが、一定の電流となるように、前記スイッチ部を制御することを特徴とする請求項１に記載の表示装置。
【請求項７】
前記第１カレントミラー回路のミラー比をｍ、第２カレントミラー回路のミラー比をｎ、前記第１トランジスタを流れる電流をＩｏ、前記第４トランジスタに流れる電流をＩとするとき、Ｉ＝ｍ×ｎ×ｋ×Ｉｏを満足することを特徴とする請求項５または請求項６に記載の表示装置。
【発明の詳細な説明】
【技術分野】
【０００１】
本発明は、液晶表示装置に係り、特に、バックライトの光源を構成する白色発光ダイオードの駆動回路に関する。
【背景技術】
【０００２】
アクティブ素子として薄膜トランジスタ（ＴＦＴ）を使用するＴＦＴ（Thin Film Transistor）方式の液晶表示装置は、パーソナルコンピュータ等の表示装置として広く使用されている。これらの液晶表示装置は、液晶表示パネルと、液晶表示パネルを照射するバックライトと、液晶表示パネルを駆動する駆動回路と、表示制御回路を備えている。
近年、液晶表示装置では、バックライトの光源として白色発光ダイオードが使用するＬＥＤバックライトが採用されている。このＬＥＤバックライトを採用する液晶表示装置では、ＬＥＤバックライトを駆動するＬＥＤ駆動回路を有し、ＬＥＤ駆動回路は、直列に接続された複数の白色ダイオードを電流駆動している。
【先行技術文献】
【特許文献】
【０００３】
【特許文献１】特開２００９−１７５３８２号公報
【発明の概要】
【発明が解決しようとする課題】
【０００４】
ＬＥＤバックライトを採用する液晶表示装置において、低コスト化を図る上で、光源として使用される白色発光ダイオードの個数を低減することが有効であるが、白色発光ダイオードの個数が少ない場合には、ＬＥＤバックライトの輝度が低下するので、白色発光ダイオードに流す電流を増やし輝度低下を補う必要がある。
一方、ＬＥＤ駆動回路は、ＬＥＤドライバＩＣを有するが、現在の市販品のＬＥＤドライバＩＣでは、白色発光ダイオードに目的の電流を流すことができない。
そのため、現在の市販品のＬＥＤドライバＩＣを使用し、コストを低減するために、白色発光ダイオードの個数を減らした場合に、輝度低下を補うために、白色発光ダイオードに流す電流を増やすことができないという問題点があった。
本発明は、前記従来技術の問題点を解決するためになされたものであり、本発明の目的は、現在の市販品のＬＥＤドライバＩＣを使用し、発光ダイオードに目的の電流を流すことが可能となる技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）表示パネルと、発光ダイオード列を有するバックライトと、前記発光ダイオード列を駆動するＬＥＤドライバＩＣとを有し、前記発光ダイオード列は、複数の発光ダイオードで構成され、前記ＬＥＤドライバＩＣは、前記発光ダイオード列を流れ、前記ＬＥＤドライバＩＣに入力される電流が、所定の定電流となるように、前記発光ダイオード列に印加する電圧を制御する表示装置であって、前記ＬＥＤドライバＩＣに入力される基準電流を増幅して前記発光ダイオード列に流す電流増幅部を有し、前記発光ダイオード列には、前記ＬＥＤドライバＩＣに入力される電流と、前記電流増幅部により増幅された電流が流れる。
【０００６】
（２）（１）において、前記ＬＥＤドライバＩＣは、入力電圧を昇圧して前記発光ダイオード列の一端に入力し、前記電流増幅部は、第１トランジスタと第２トランジスタとを有する第１カレントミラー回路と、第３トランジスタと第４トランジスタとを有する第２カレントミラー回路とを有し、前記発光ダイオード列の他端は、前記第４のトランジスタに接続され、前記発光ダイオード列に流れる電流の一部は、前記ＬＥＤドライバＩＣに入力され、前記発光ダイオード列に流れる電流の残りは、前記第４トランジスタに流れ、前記第１トランジスタを流れる電流は、前記ＬＥＤドライバＩＣに入力され、前記第２トランジスタは、前記第１トランジスタに流れる電流に対応した電流を前記第３トランジスタに流し、前記第４トランジスタには、前記第３トランジスタに流れる電流に対応した電流が流れ、前記ＬＥＤドライバＩＣは、前記第１トランジスタを介して前記ＬＥＤドライバＩＣに人力される電流と、前記発光ダイオード列を介して前記ＬＥＤドライバＩＣに入力される電流とが、一定の電流となるように、前記発光ダイオード列に印加する電圧を制御する。
【０００７】
（３）（１）において、コイルと、前記コイルに流れる電流をオン・オフするスイッチングトランジスタとを有し、前記ＬＥＤドライバＩＣは、定電流制御部と、スイッチング部とを有し、前記スイッチング部は、前記スイッチングトランジスタをオン・オフし、入力電圧を昇圧して前記発光ダイオード列の一端に入力し、前記電流増幅部は、第１トランジスタと第２トランジスタとを有する第１カレントミラー回路と、第３トランジスタと第４トランジスタとを有する第２カレントミラー回路とを有し、前記発光ダイオード列の他端は、前記第４のトランジスタに接続され、前記発光ダイオード列に流れる電流の一部は、前記定電流制御部に入力され、前記発光ダイオード列に流れる電流の残りは、前記第４トランジスタに流れ、前記第１トランジスタを流れる電流は、前記定電流制御部に入力され、前記第２トランジスタは、前記第１トランジスタに流れる電流に対応した電流を前記第３トランジスタに流し、前記第４トランジスタには、前記第３トランジスタに流れる電流に対応した電流が流れ、前記スイッチング部は、前記定電流制御部の制御の下に、前記スイッチングトランジスタをオン／オフし、前記発光ダイオード列の一端に入力される電圧を制御し、前記定電流制御部は、前記第１トランジスタを介して前記定電流制御部に人力される電流と、前記発光ダイオード列を介して前記定電流制御部に入力される電流とが、一定の電流となるように、前記スイッチ部を制御する。
【０００８】
（４）（１）において、前記ＬＥＤドライバＩＣは、入力電圧を昇圧して前記発光ダイオード列の一端に入力し、ｋを１以上の整数とするとき、前記電流増幅部は、第１トランジスタと第２トランジスタとを有する第１カレントミラー回路と、第３トランジスタと、並列に接続される第４ないし第（４＋ｋ）のトランジスタとを有する第２カレントミラー回路とを有し、前記発光ダイオード列の他端は、前記第４ないし第（４＋ｋ）のトランジスタに接続され、前記発光ダイオード列に流れる電流の一部は、前記ＬＥＤドライバＩＣに入力され、前記発光ダイオード列に流れる電流の残りは、前記第４ないし第（４＋ｋ）のトランジスタに流れ、前記第１トランジスタを流れる電流は、前記ＬＥＤドライバＩＣに入力され、前記第２トランジスタは、前記第１トランジスタに流れる電流に対応した電流を前記第３トランジスタに流し、前記第４ないし第（４＋ｋ）のトランジスタには、前記第３トランジスタに流れる電流に対応した電流が流れ、前記ＬＥＤドライバＩＣは、前記第１トランジスタを介して前記ＬＥＤドライバＩＣに人力される電流と、前記発光ダイオード列を介して前記ＬＥＤドライバＩＣに入力される電流とが、一定の電流となるように、前記発光ダイオード列に印加する電圧を制御する。
【０００９】
（５）（１）において、コイルと、前記コイルに流れる電流をオン・オフするスイッチングトランジスタとを有し、前記ＬＥＤドライバＩＣは、定電流制御部と、スイッチング部とを有し、前記スイッチング部は、前記スイッチングトランジスタをオン・オフし、入力電圧を昇圧して前記発光ダイオード列の一端に入力し、ｋを１以上の整数とするとき、前記電流増幅部は、第１トランジスタと第２トランジスタとを有する第１カレントミラー回路と、第３トランジスタと、並列に接続される第４ないし第（４＋ｋ）のトランジスタとを有する第２カレントミラー回路とを有し、前記発光ダイオード列の他端は、前記第４ないし第（４＋ｋ）のトランジスタに接続され、前記発光ダイオード列に流れる電流の一部は、前記定電流制御部に入力され、前記発光ダイオード列に流れる電流の残りは、前記第４ないし第（４＋ｋ）のトランジスタに流れ、前記第１トランジスタを流れる電流は、前記定電流制御部に入力され、前記第２トランジスタは、前記第１トランジスタに流れる電流に対応した電流を前記第３トランジスタに流し、前記第４ないし第（４＋ｋ）のトランジスタには、前記第３トランジスタに流れる電流に対応した電流が流れ、前記スイッチング部は、前記定電流制御部の制御の下に、前記スイッチングトランジスタをオン／オフし、前記出力端子から出力される電圧を制御し、前記定電流制御部は、前記第１トランジスタを介して前記定電流制御部に人力される電流と、前記発光ダイオード列を介して前記定電流制御部に入力される電流とが、一定の電流となるように、前記スイッチ部を制御する。
【発明の効果】
【００１０】
本願において開示される発明のうち代表的なものによって得られる効果を簡単に説明すれば、下記の通りである。
本発明によれば、現在の市販品のＬＥＤドライバＩＣを使用し、発光ダイオードに目的の電流を流すことが可能となる。
【図面の簡単な説明】
【００１１】
【図１】本発明の実施例の液晶表示装置の概略構成を示すブロック図である。
【図２】発明の実施例１のＬＥＤ駆動回路の回路構成を示す回路図である。
【図３】発明の実施例２のＬＥＤ駆動回路の回路構成を示す回路図である。
【図４】従来のＬＥＤ駆動回路の回路構成を示す回路図である。
【図５】従来のＬＥＤ駆動回路において、発光ダイオードに大電流を流す場合の回路構成を示す回路図である。
【発明を実施するための形態】
【００１２】
以下、図面を参照して本発明の実施例を詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
［実施例１］
図１は、本発明の実施例１の液晶表示装置の概略構成を示すブロック図である。
本実施例の液晶表示装置は、液晶表示パネルと、直下型バックライト（ＢＬ）とを有する。液晶表示パネルは、第１基板（ＳＵＢ１）と第２基板（ＳＵＢ２）とを有し、第１基板（ＳＵＢ１）には、薄膜トランジスタ、画素電極などが形成され、第２基板（ＳＵＢ２）には、遮光膜、カラーフィルタなどが形成される。なお、対向電極は、ＩＰＳ方式などの横電界方式の液晶表示パネルであれば、第１基板（ＳＵＢ１）に形成され、ＶＡ方式などの縦電界方式の液晶表示パネルであれば、第２基板（ＳＵＢ２）に形成される。
液晶表示パネルは、第１基板（ＳＵＢ１）と第２基板（ＳＵＢ２）とをシール材を介して貼り合わせ、第１基板（ＳＵＢ１）と第２基板（ＳＵＢ２）との間に液晶を注入・封止して構成される。また、第１基板（ＳＵＢ１）と第２基板（ＳＵＢ２）の外側にはそれぞれ偏光板（図示せず）が設けられる。なお、本発明は、液晶表示パネルの構造とは直には関係がないので、液晶表示パネルの構造については省略する。
【００１３】
第１基板（ＳＵＢ１）の一方の長辺側の周辺には、映像線駆動回路（ＤＲＤ）が配置され、第１基板（ＳＵＢ１）の一方の短辺側の周辺には、走査線駆動回路（ＤＲＧ）が配置される。
映像線駆動回路（ＤＲＤ）と走査線駆動回路（ＤＲＧ）とは、表示制御回路（タイミングコントローラ）３０により、制御・駆動される。
なお、図１では、映像線駆動回路（ＤＲＤ）と走査線駆動回路（ＤＲＧ）とは、それぞれ２個の半導体チップで構成される場合について説明したが、映像線駆動回路（ＤＲＤ）と走査線駆動回路（ＤＲＧ）とは、１個の半導体チップで構成してもよい。
バックライト（ＢＬ）は光源として白色発光ダイオード（図示せず）を有し、この白色発光ダイオードは、ＬＥＤ駆動回路５０で駆動される。また、ＬＥＤ駆動回路５０には、表示制御回路３０から制御信号が入力される。
電源回路４０は、映像線駆動回路（ＤＲＤ）と走査線駆動回路（ＤＲＧ）に対して、各画素を駆動するための電圧を供給するとともに、ＬＥＤ駆動回路５０に対して、入力電圧（Ｖｉｎ）を供給する。
【００１４】
図４は、従来のＬＥＤ駆動回路の回路構成を示す回路図である。初めに、図４を用いて従来のＬＥＤ駆動回路の問題点について説明する。
図４において、ＬＥＤ−ＩＣは、半導体集積回路で構成されるＬＥＤドライバ、ＢＬはバックライトであり、ＬＥＤドライバ（ＬＥＤ−ＩＣ）は、スイッチング部（ＳＷＵ）と、定電流制御部（ＣＩＵ）とを有する。また、バックライト（ＢＬ）は、複数の発光ダイオード群（ＧＬＥＤ）を有する。ここで、発光ダイオード群（ＧＬＥＤ）は、複数の白色発光ダイオードで構成される。尚、発光ダイオード群（ＧＬＥＤ）は、発光ダイオード列や発光ダイオードアレイと呼ぶこともある。
さらに、図４において、スイッチングトランジスタを構成するＭＯＳトランジスタ（Ｔ９）、コイル（Ｌ）、ダイオード（Ｄ）、コンデンサ（Ｃ）、および、スイッチング部（ＳＷＵ）が昇圧回路部を構成する。スイッチング部（ＳＷＵ）は、定電流制御部（ＣＩＵ）の制御の下に、ＭＯＳトランジスタ（Ｔ９）をオン・オフし、所望の電圧を生成する。
図４に示す従来のＬＥＤ駆動回路では、定電流制御部（ＣＩＵ）が、各チャネル（図４では、６個のチャネル）毎に短絡、断線を判定するとともに、抵抗（Ｒo）に流れる電流（Ｉｏ）に比例した一定の電流（図４では、２０ｍＡの電流）が、各チャネルに流れるように、スイッチング部（ＳＷＵ）を制御する。これにより、各チャネルに接続された発光ダイオード群（ＧＬＥＤ）を、所望の定電流で駆動することができる。例えば、図４では、ＬＥＤドライバ（ＬＥＤ−ＩＣ）の４個のチャネルに接続された発光ダイオード群（ＧＬＥＤ）を、それぞれ２０ｍＡの定電流で駆動することができる。
【００１５】
但し、図４に示すＬＥＤドライバ（ＬＥＤ−ＩＣ）では、各チャネルに流すことのできる電流の最大定電流は５０ｍＡである。
そのため、５０ｍＡ以上の電流で、発光ダイオード群（ＧＬＥＤ）を駆動するためには、ＬＥＤドライバ（ＬＥＤ−ＩＣ）を複数個使用する必要がある。例えば、図５に示すように、各発光ダイオード群（ＧＬＥＤ）を、１２０ｍＡの電流で駆動するためには、１個の発光ダイオード群（ＧＬＥＤ）に対して、ＬＥＤドライバ（ＬＥＤ−ＩＣ）の３個のチャネルを使用し、各チャネル毎に４０ｍＡの電流を流して、全体で１２０ｍＡの電流を、１個の発光ダイオード群（ＧＬＥＤ）に流すようにする必要がある。
したがって、４個の発光ダイオード群（ＧＬＥＤ）を、それぞれ１２０ｍＡの電流で駆動する場合には、２個のＬＥＤドライバ（ＬＥＤ−ＩＣ）を使用し、４個の発光ダイオード群（ＧＬＥＤ）を２系統で駆動する必要がある。このため、高価なＬＥＤドライバＩＣ（図４、図５のＬＥＤドライバ（ＬＥＤ−ＩＣ））が２個必要となり、材料費が上がるという問題点があった。
このように、ＬＥＤバックライトの光源となる白色発光ダイオードの駆動に、市販のＬＥＤドライバＩＣを使用する場合において、コストを低減するために白色発光ダイオード数を減らしても、図５に示すように、高価な市販のＬＥＤドライバＩＣが２個以上必要となるので、コストを低減することができないという問題点があった。
【００１６】
本発明では、バックライトの光源となる白色発光ダイオードの駆動に、市販のＬＥＤドライバＩＣを使用する場合に、ＬＥＤドライバＩＣの各チャネルを流れる電流を外部で増幅して、発光ダイオード群（ＧＬＥＤ）を駆動する電流を生成することを特徴とする。
図２は、本発明の実施例１のＬＥＤ駆動回路の回路構成を示す回路図である。
本実施例のＬＥＤ駆動回路において、昇圧回路部は、従来と同じ回路構成であり、また、バックライト（ＢＬ）の発光ダイオード群（ＧＬＥＤ）の配列も従来と同じ直列構成となっている。
本実施例のＬＤＥ駆動回路は、電流増幅回路（ＩＡＭＰ）を有する点で、図４、図５に示す従来のＬＥＤ駆動回路と異なっている。
本実施例において、ＬＥＤドライバ（ＬＥＤ−ＩＣ）の複数のチャネルにそれぞれ発光ダイオード群（ＧＬＥＤ）を接続し、それぞれ発光ダイオード群（ＧＬＥＤ）に電流を流すと共に、電流増幅回路（ＩＡＭＰ）に電流を流し、また、電流増幅回路（ＩＡＭＰ）は、ＬＥＤドライバ（ＬＥＤ−ＩＣ）に流れる電流を増幅し、発光ダイオード群（ＧＬＥＤ）に電流を流すことを特徴とする。
【００１７】
図２に示すように、電流増幅回路（ＩＡＭＰ）は、ｐｎｐ型バイポーラトランジスタ（以下、単に、トランジスタという；Ｔ１，Ｔ２）と、ｎｐｎ型トランジスタ（Ｔ３〜Ｔ７）と、抵抗（Ｒ１〜Ｒ７）とで構成される。
ここで、ｐｎｐ型トランジスタ（Ｔ１，Ｔ２）と、抵抗（Ｒ１，Ｒ２）とが、第１カレントミラー回路を構成し、ｎｐｎ型トランジスタ（Ｔ３〜Ｔ８）と、抵抗（Ｒ３〜Ｒ７）とが、多連出力型の第２カレントミラー回路を構成する。
図２において、第１カレントミラー回路のｐｎｐ型トランジスタ（Ｔ１）を流れる電流は、ＬＥＤドライバ（ＬＥＤ−ＩＣ）の複数のチャネルの中の１つのチャネル（ｃｈ６）に流れる。
また、４個の発光ダイオード群（ＧＬＥＤ）の各々は、ｎｐｎ型トランジスタ（Ｔ４〜Ｔ７）のコレクタに接続され、４個の発光ダイオード群（ＧＬＥＤ）の各々を流れる電流の一部は、ＬＥＤドライバ（ＬＥＤ−ＩＣ）の複数のチャネルの中のチャネル（ｃｈ１〜ｃｈ４）に流れる。
【００１８】
一般に、カレントミラー回路では、カレントミラー回路を構成するトランジスタ対のエミッタ抵抗の抵抗比、あるいは、トランジスタ対のエミッタ面積の面積比を変えることにより、カレントミラー回路を構成するトランジスタ対に流れる電流比を変化させることができる。
したがって、抵抗（Ｒ１）と抵抗（Ｒ２）の抵抗比と、抵抗（Ｒ３）と抵抗（Ｒ４〜Ｒ７）の抵抗比を適宜変化させ、即ち、第１カレントミラー回路のミラー比（ｍ）と、第２カレントミラー回路のミラー比（ｎ）とを所定の値適に設定することにより、ｎｐｎ型トランジスタ（Ｔ４〜Ｔ７）を流れる電流の電流値を、ｐｎｐ型トランジスタ（Ｔ１）を流れる電流の電流値の（ｍ×ｎ）倍（換言すれば、電流増幅回路（ＩＡＭＰ）の増幅度）に設定することができる。
今、図２に示すように、ＬＥＤドライバ（ＬＥＤ−ＩＣ）の各チャネルに流れる電流の電流値を、５ｍＡとし、前述の（ｍ×ｎ）を２３に設定すると、ｎｐｎ型トランジスタ（Ｔ４〜Ｔ７）を流れる電流の電流値を１１５ｍＡとすることができるので、４個の発光ダイオード群（ＧＬＥＤ）の各々には、ＬＥＤドライバ（ＬＥＤ−ＩＣ）の各チャネルに流れる５ｍＡの電流と、ｎｐｎ型トランジスタ（Ｔ４〜Ｔ７）に流れる１１５ｍＡの電流を加算した、１２０ｍＡの電流を流すことが可能となる。
このため、ＬＥＤドライバ（ＬＥＤ−ＩＣ）は、１つで済み、本実施例のＬＥＤ駆動回路は、図５に示す従来のＬＥＤ駆動回路より安価に構成することが可能となる。
【００１９】
［実施例２］
図３は、本発明の実施例２のＬＥＤ駆動回路の回路構成を示す回路図である。
本実施例のＬＥＤ駆動回路は、４個の発光ダイオード群（ＧＬＥＤ）の各々に流す電流として、更なる大電流が必要な場合の実施例であり、ｎｐｎトランジスタ（Ｔ４〜Ｔ７）に並列に、ｎｐｎトランジスタ（Ｔ１４〜Ｔ１７）を接続し、前述の実施例１と比して、４個の発光ダイオード群（ＧＬＥＤ）の各々から、電流増幅回路（ＩＡＭＰ）に２倍の電流を流せるようにした実施例である。
本実施例では、ＬＥＤドライバ（ＬＥＤ−ＩＣ）の各チャネルに、５ｍＡの電流が流れ、前ｎｐｎトランジスタ（Ｔ４〜Ｔ７）の各々に、１１５ｍＡの電流が流れ、ｎｐｎトランジスタ（Ｔ１４〜Ｔ１７）の各々に、１１５ｍＡの電流が流れるので、４個の発光ダイオード群（ＧＬＥＤ）には、２３５ｍＡの電流が流れることになる。
また、本実施例では、発光ダイオード群（ＧＬＥＤ）に流れる電流が増加するため、図３のＡの領域内の部品（即ち、昇圧回路部（ＣＵＢ）の、ＭＯＳトランジスタ（Ｔ９）、コイル（Ｌ）、ダイオード（Ｄ）、およびコンデンサ（Ｃ）の各部品）は、大電流が流せるものを使用する。
なお、本実施例において、ｎｐｎトランジスタ（Ｔ４〜Ｔ７）に並列に、接続するｎｐｎトランジスタの個数は、１個に限定されるものではなく、２個以上接続するようにしてもよい。
また、前述の説明では、本発明を、液晶表示装置に適用した実施例について説明したが、本発明は、これに限定されるものではなく、本発明は、バックライトを備える表示装置全てに適用可能であることは言うまでもない。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００２０】
３０  表示制御回路（タイミングコントローラ）
４０  電源回路
５０  ＬＥＤ駆動回路
Ｔ１〜Ｔ８，Ｔ１４〜Ｔ１７  バイポーラトランジスタ
Ｔ９  ＭＯＳトランジスタ
Ｒ１〜Ｒ７，Ｒ１４〜Ｒ１７  抵抗
ＢＬ  直下型バックライト
ＳＵＢ１  第１基板
ＳＵＢ２  第２基板
ＤＲＤ  映像線駆動回路
ＤＲＧ  走査線駆動回路
ＬＥＤ−ＩＣ  ＬＥＤドライバ
ＳＷＵ  スイッチング部
ＣＩＵ  定電流制御部
ＧＬＥＤ  発光ダイオード群
Ｌ  コイル
Ｄ  ダイオード
Ｃ  コンデンサ
Ｒ  抵抗
【図１】
2012186350.tif 000003
【図２】
2012186350.tif 000004
【図３】
2012186350.tif 000005
【図４】
2012186350.tif 000006
【図５】
2012186350.tif 000007